(57)【要約】【課題】押釦の操作性を向上することのできるスイッチ構造を提供する。【解決手段】スイッチ３０が収納される器体２と、器体２内部に収納されて、カバー２１に貫設された露出孔２１ａを介して外側に露出する操作部１１を有した押釦１とを備え、前記操作部１１を押圧することで操作部１１を介してスイッチ３０を駆動させるスイッチ構造であって、押釦１は、カバー２１に取り付けられる固定部１０と、操作部１１と、固定部１０と操作部１１との間を連結する弾性を有した架橋部１２とから成り、架橋部１２は、一端が固定部１０に連結される第一の撓み片１２ａと、一端が第一の撓み片１２ａの他端と連結されて他端が操作部１１に連結される略Ｕ字状の第二の撓み片１２ｂとから成る。【選択図】図１
2008171683.tif 000002
【特許請求の範囲】
【請求項１】
スイッチが収納される器体と、器体内部に収納されて、器体の一の面に貫設された露出孔を介して外側に露出する操作部を有した押釦とを備え、前記操作部を押圧することで操作部を介してスイッチを駆動させるスイッチ構造であって、押釦は、器体の前記一の面に取り付けられる固定部と、操作部と、固定部と操作部との間を連結する弾性を有した架橋部とから成り、架橋部は、一端が固定部に連結される第一の撓み片と、一端が第一の撓み片の他端と連結されて他端が操作部に連結される略Ｕ字状の第二の撓み片とから成ることを特徴とするスイッチ構造。
【請求項２】
前記器体には、前記一の面から器体内側に向かって複数の嵌合爪が突設され、前記押釦の固定部には、前記嵌合爪が嵌合する複数の嵌合孔が設けられたことを特徴とする請求項１記載のスイッチ構造。
【発明の詳細な説明】
【技術分野】
【０００１】
本発明は、押釦を押圧することでスイッチを駆動させるスイッチ構造に関する。
【背景技術】
【０００２】
従来から、電子機器の器体の前面に露出した押釦を押操作することによって、器体に収納されたスイッチの操作体を操作するスイッチ構造が提供されている（例えば、特許文献１参照）。この押釦構造は、図５に示すように、一端が支持部１００ａで且つ他端がスイッチ動作部１００ｃとなる操作部１００ｂを有した押釦１００と、押釦１００を内側に収納して操作部１００ｂを外側に露出させる露出孔１０１ａを有した筐体１０１と、スイッチ動作部１００ｃで駆動されるように配置されたスイッチ１０２と、弾性を有し且つ支持部１００ａと操作部１００ｂとの間を直線的に結ぶ架橋部１００ｄとを備え、押釦１００の操作部１００ｂを押圧して架橋部１００ｄを撓ませることでスイッチ動作部１００ｃが筐体１０１の厚み方向に移動してスイッチ１０２を駆動するものである。
【特許文献１】特開２００６−３３１８８５号公報
【発明の開示】
【発明が解決しようとする課題】
【０００３】
しかしながら、上記従来例では、支持部１００ａと操作部１００ｂとの間の距離が短く且つ露出孔１０１ａと操作部１００ｂとの隙間が小さい場合には、押釦１００の操作部１００ｂを押圧すると筐体１０１の厚み方向に移動するのに伴って支持部１００ａに向かう方向にも移動してしまうため、操作部１００ｂの側面が露出孔１０１ａの内周面に接触して押釦１００の操作性が悪くなったり、操作部１００ｂの筐体１０１の厚み方向への移動ができなくなったりするという虞があった。
【０００４】
本発明は、上記の点に鑑みて為されたもので、押釦の操作性を向上することのできるスイッチ構造を提供することを目的とする。
【課題を解決するための手段】
【０００５】
請求項１の発明は、上記目的を達成するために、スイッチが収納される器体と、器体内部に収納されて、器体の一の面に貫設された露出孔を介して外側に露出する操作部を有した押釦とを備え、前記操作部を押圧することで操作部を介してスイッチを駆動させるスイッチ構造であって、押釦は、器体の前記一の面に取り付けられる固定部と、操作部と、固定部と操作部との間を連結する弾性を有した架橋部とから成り、架橋部は、一端が固定部に連結される第一の撓み片と、一端が第一の撓み片の他端と連結されて他端が操作部に連結される略Ｕ字状の第二の撓み片とから成ることを特徴とする。
【０００６】
請求項２の発明は、請求項１の発明において、器体には、前記一の面から器体内側に向かって複数の嵌合爪が突設され、押釦の固定部には、前記嵌合爪が嵌合する複数の嵌合孔が設けられたことを特徴とする。
【発明の効果】
【０００７】
請求項１の発明によれば、押釦の操作部を押圧する際に、第二の撓み片のＵ字部分が広がるように撓むことで押圧方向と逆方向への反発力を生じさせ、また第二の撓み片が撓むことで固定部から離れる方向へ変位しようとするのを第一の撓み片が固定部に近づくように撓むことで相殺しているので、操作部の押圧方向と交差する方向への変位を抑えることができ、したがって操作部の側面が露出孔の内周面に接触して操作性が悪くなったり、操作部の押圧方向への移動ができなくなったりするのを防いで押釦の操作性を向上することができる。
【０００８】
請求項２の発明によれば、複数の嵌合爪を押釦の固定部に設けられた複数の嵌合孔に嵌合させることで、押釦が器体の取付面に沿って回動するのを防ぐことができ、したがって操作部の側面が露出孔の内周面に接触して操作性が悪くなったり、操作部の押圧方向への移動ができなくなったりするのを防止する効果を更に高めることができる。
【発明を実施するための最良の形態】
【０００９】
以下、本発明のスイッチ構造の実施形態について図面を用いて説明する。但し、以下の説明では、図２（ａ）における上下左右を上下左右方向とし、図２（ａ）における紙面手前側を前方向、紙面奥側を後方向と定める。尚、本実施形態は、図２に示すインターホン副親機Ａに本発明を適用したものであるが、本発明はこれに限らず種々の電子機器に適用可能である。
【００１０】
このインターホン副親機Ａは、例えば、玄関先などに配設された子機や、室内に配設された親機及び他の副親機とともにインターホンシステムを構成し、これら子機及び親機及び他の副親機との通話や、電気錠の施錠及び解錠や、警報の機能を有する。インターホン副親機Ａは、上述した通話や施解錠や、火災感知器やガス漏れ検知器等が異常を検知すると警報音を鳴動するといった機能を実現するための電子回路と、これらの機能の開始及び終了のトリガとなるスイッチとを実装した基板３が内蔵された器体２を備えている（図３参照）。
【００１１】
器体２は、例えば合成樹脂材料から形成され、前面が開放された略直方体状に形成されて壁面等の取付面に取り付けられるボディ２０と、後面が開放された略直方体状に形成されてボディ２０の前側に被着されるカバー２１とから成る。
【００１２】
カバー２１の前面下部には、図２（ａ）に示すように、通話の開始及び終了のトリガとなるスイッチ（図示せず）を操作するための大型の押釦ハンドル４ａが設けられている。また、カバー２１の前面上部の右側には、前後方向に貫設された４つの略円形状の露出孔２１ａがカバー２１の長手方向に沿って設けられており、各露出孔２１ａを介してそれぞれ１個ずつ、計４個の丸型の押釦１が器体２の内側から露出している。押釦１は、上から順に、他の部屋に設けられた親機又は副親機に呼出し音を鳴動させるトリガとなるスイッチ３０を操作するための２個の押釦１、警報音の鳴動を停止させるトリガとなるスイッチ３０を操作するための押釦１、玄関に設けられた電気錠等の玄関扉の施解錠を行なうトリガとなるスイッチ３０を操作するための押釦１となっている。カバー２１の前面上部の左側には、器体２に内蔵されたスピーカ５の鳴動音を器体２外部に出すための複数の音穴２１ｂが設けられており、更に、器体２の下面には、通話の音量調整及び電源のオンオフを行なうためのスライドスイッチ４ｂが設けられている（図２（ｂ）参照）。
【００１３】
カバー２１の後面略中央には、図３に示すように、スピーカ５が保持される略円筒状のスピーカ保持部２１ｅが一体に形成されており、該スピーカ保持部２１ｅの底部に前記音穴２１ｂが貫設されている。また、各露出孔２１ａの上側には、それぞれ一対の嵌合爪２１ｃが後方に向かって突設されており、更に各露出孔２１ａ下部には、後述する押釦１の操作部１１の掛止片１１ｂが掛止する断面略逆Ｌ字状の掛止部２１ｄがそれぞれ設けられている。
【００１４】
基板３は、図３に示すように、略矩形状に形成され、上述のインターホン副親機Ａとしての機能を実現するための電子回路を構成する種々の電子部品３ｂ及びスイッチ（図示せず)が実装されている。また、基板３の略中央にはカバー２１ｂの裏面略中央に設けられてスピーカ５が保持される略円筒状のスピーカ保持部２１ｅが挿通される略円形状の貫通孔３ａが貫設されている。
【００１５】
以下、本発明の要点である押釦１について図面を用いて説明する。本実施形態の押釦１は、図４（ａ）〜（ｄ）に示すように、カバー２１の後面に取り付けられる略直方体状の固定部１０と、カバー２１に貫設された露出孔２１ａを介して外側に露出する略円柱状の操作部１１と、固定部１０と操作部１１との間を連結する弾性を有した一対の架橋部１２とから成る。
【００１６】
固定部１０は、図４（ａ）に示すように、その上面に前後方向に貫通した一対の嵌合孔１０ａが設けられている。操作部１１は、図４（ｃ）に示すように、その後面略中央から突出する断面略十字状の駆動突起１１ａが一体に形成されている。また、操作部１１の下端部には、鍔状の掛止片１１ｂが周方向に亘って一体に形成されている。
【００１７】
架橋部１２は、図４（ｄ）に示すように、一端が固定部１０に連結される第一の撓み片１２ａと、一端が第一の撓み片１２ａの他端と連結されて他端が操作部１１の下端部に連結される略Ｕ字状の第二の撓み片１２ｂとから成る。
【００１８】
上記のように構成された押釦１は、まず操作部１１の掛止片１１ｂをカバー２１の後面に設けられた掛止部２１ｄに挿入掛止し、次に操作部１１を露出孔２１ｂを介して外部に露出させるとともに固定部１０の一対の嵌合孔１０ａにカバー２１の後面に設けられた一対の嵌合爪２１ｃを嵌合し、最後に基板３を押釦１の後方からカバー２１に取り付けることで、カバー２１と基板３とで挟持された状態でカバー２１に取り付けられる（図１（ａ）参照）。
【００１９】
以下、押釦１の動作を図面を用いて説明する。押釦１の操作部１１を操作者が押圧すると、図１（ｂ）に示すように、操作部１１が押圧方向に変位し、操作部１１の駆動突起１１ａの先端部がスイッチ３０を押圧することでスイッチ３０が駆動される。この時、第二の撓み片１２ｂのＵ字部分が広がるように撓むことで、押圧方向と逆方向への反発力を生じるとともに操作部１１が固定部１０から離れる方向（図１（ｂ）の右方向）に変位するが、第二の撓み片１２ｂが撓むのと同時に第一の撓み片１２ａが固定部１０に近づく方向（図１（ｂ）の左方向）に撓むために、固定部１０から離れる方向への変位量と固定部１０に近づく方向への変位量とが相殺し、結果的に操作部１１は押圧方向のみに変位する。操作者が押釦１の操作部１１の押圧を解除すると、第二の撓み片１２ａに生じた反発力によって操作部１１が押圧方向と逆方向に変位し、これに伴って操作部１１の駆動突起１１ａの先端部がスイッチ３０から離れることでスイッチ３０の駆動が解除される。
【００２０】
上述のように、第二の撓み片１２ｂのＵ字部分が広がるように撓むことで押圧方向と逆方向への反発力を生じさせ、また第二の撓み片１２ｂが撓むことで固定部１０から離れる方向へ変位しようとするのを第一の撓み片１２ａが固定部１０に近づくように撓むことで相殺しているので、押釦１の操作部１１が固定部１０に近づく方向及び固定部１０から離れる方向に変位するのを抑えることができ、したがって操作部１１の側面が露出孔２１ａの内周面に接触して操作性が悪くなったり、操作部１１の押圧方向への移動ができなくなったりするのを防いで押釦１の操作性を向上することができる。
【００２１】
ところで、押釦１をカバー２１に取り付ける際に、固定部１０をカバー２１の後面において１点で支持すると、カバー２１の後面に沿って押釦１が該１点を支点として回動してしまい、操作部１１が露出孔２１ａの内周面に接触してしまう虞がある。そこで、本実施形態では、カバー２１の後面における各露出孔２１ａの上側にそれぞれ一対の嵌合爪２１ｃを後方に向けて突設し、該一対の嵌合爪２１ｃを押釦１の固定部１０に設けられた嵌合孔１０ａに嵌合させた状態で押釦１をカバー２１と基板３とで挟持しているので、固定部１０がカバー２１の後面において２点で支持されるために押釦１がカバー２１の後面に沿って回動するのを防ぐことができ、したがって操作部１１の側面が露出孔２１ａの内周面に接触して操作性が悪くなったり、操作部１１の押圧方向への移動ができなくなったりするのを防止する効果を更に高めることができる。
【図面の簡単な説明】
【００２２】
【図１】本発明の実施形態の要部のスイッチ構造を示す断面図で、（ａ）は操作部を押圧する前の状態を示す図で、（ｂ）は操作部を押圧している状態を示す図である。
【図２】本発明が用いられるインターホン副親機を示す図で、（ａ）は正面図で、（ｂ）は下面図である。
【図３】同上のボディを省略した分解斜視図である。
【図４】同上の押釦を示す図で、（ａ）は上面図で、（ｂ）は側面図で、（ｃ）は下面図で、（ｄ）はＡ−Ａ’線断面矢視図である。
【図５】従来のスイッチ構造を示す断面図である。
【符号の説明】
【００２３】
１  押釦
１０  固定部
１１  操作部
１２  架橋部
１２ａ  第一の撓み片
１２ｂ  第二の撓み片
２  器体
２１ａ  露出孔
３０  スイッチ
【図１】
2008171683.tif 000003
【図２】
2008171683.tif 000004
【図３】
2008171683.tif 000005
【図４】
2008171683.tif 000006
【図５】
2008171683.tif 000007